(57)【要約】    【課題】  画面の利用効率が良く、視認性にも優れた入力インターフェイスを提供する。    【解決手段】  入力候補表示手段２は、入力候補８をホイールのように複数表示する。この時、選択対象となる入力候補１０と、それ以外の候補とを区別可能に表示する。対称変更手段４は、マウスカーソル１２の操作に応じて、選択対象となる入力候補１０を含む入力候補８を変更する。たとえば、マウスカーソル１２を上方向や下方向に動かすことにより、ホイールが回転するようにして、入力候補８を変更する。確定表示手段６は、確定指令（たとえばマウスのクリックボタンを離す・クリックするなど）を受けると、その時に選択対象となっていた入力候補１０を、その位置において確定表示１４の状態とする。【選択図】  図１
2016085510.tif 000002
【特許請求の範囲】
【請求項１】
選択対象となる入力候補と、それ以外の入力候補とを区別可能にして、列状に複数表示する入力候補表示手段と、
前記列状に複数表示された入力候補を移動させて、選択対象となる入力候補を変更する対象変更手段と、
確定指令を受けて、選択対象以外の入力候補の表示を削除し、選択対象となっている入力候補をその位置で確定表示の状態とする確定表示手段と、
を備えた入力装置。
【請求項２】
コンピュータによって入力装置を実現するための入力プログラムであって、コンピュータを、
選択対象となる入力候補と、それ以外の入力候補とを区別可能にして、列状に複数表示する入力候補表示手段と、
前記列状に複数表示された入力候補を移動させて、選択対象となる入力候補を変更する対象変更手段と、
確定指令を受けて、選択対象以外の入力候補の表示を削除し、選択対象となっている入力候補をその位置で確定表示の状態とする確定表示手段として機能させるための入力プログラム。
【請求項３】
請求項１の装置または請求項２のプログラムにおいて、
前記入力候補表示手段は、確定表示状態における確定表示が押下されたことを受けて、前記入力候補を複数表示して入力状態とすることを特徴とする装置またはプログラム。
【請求項４】
請求項１〜３のいずれかの装置またはプログラムにおいて、
前記入力候補表示手段は、前記入力候補が有限個である場合、最後の入力候補に隣接して最初の入力候補を表示することを特徴とする装置またはプログラム。
【請求項５】
請求項１〜４のいずれかの装置またはプログラムにおいて、
入力候補を表示するための複数の入力項目が並んで配置されており、
前記確定表示手段は、入力項目から他の入力項目に操作指示ポイントが移動したことを受けて、前記移動前の入力項目における選択対象となる入力候補を確定表示状態とし、
前記入力候補表示手段は、入力項目から他の入力項目に操作指示ポイントが移動したことを受けて、前記移動後の入力項目において、選択対象を複数表示する入力状態とすることを特徴とする装置またはプログラム。
【請求項６】
入力候補の近傍に周回図形を表示する周回図形表示手段と、
前記周回図形の周回に沿った操作指示ポイントの移動を受けて、当該移動に応じて前記入力候補を順次変更する対象変更手段と、
確定指令を受けて、前記入力候補をその位置で確定表示の状態とする確定表示手段と、
を備えた入力装置。
【請求項７】
コンピュータによって入力装置を実現するための入力プログラムであって、コンピュータを、
入力候補の近傍に周回図形を表示する周回図形表示手段と、
前記周回図形の周回に沿った操作指示ポイントの移動を受けて、当該移動に応じて前記入力候補を順次変更する対象変更手段と、
確定指令を受けて、前記入力候補をその位置で確定表示の状態とする確定表示手段として機能させるための入力プログラム。
【請求項８】
請求項６の装置または請求項７のプログラムにおいて、
前記周回図形表示手段は、確定表示状態における確定表示が押下されたことを受けて、前記周回図形を表示して入力状態とすることを特徴とする装置またはプログラム。
【請求項９】
請求項６〜８のいずれかの装置またはプログラムにおいて、
前記対象変更手段は、前記入力候補が有限個である場合、最後の入力候補の次に最初の入力候補を表示することを特徴とする装置またはプログラム。
【請求項１０】
請求項６〜９のいずれかの装置またはプログラムにおいて、
入力候補を表示するための複数の入力項目が並んで配置されており、
前記対象変更手段は、前記周回に沿った操作指示ポイントの数に応じて、いずれの入力項目の入力候補を変更するかを決定することを特徴とする装置またはプログラム。
【発明の詳細な説明】
【技術分野】
【０００１】
この発明は入力装置に関し、特にその操作の容易性と画面の利用効率向上に関するものである。
【背景技術】
【０００２】
マウスなどのポインティングデバイスを用いた入力や、指などでタッチパネルをタッチして入力することが行われている。これらの場合、数値などを入力するために別途キーボードを使わなくてもいいように、いろいろな工夫がなされている。
【０００３】
たとえば、特許文献１には、入力の際だけ、仮想的なダイアル画面をポップアップにて表示することが開示されている。ユーザは、仮想ダイアルを指などで回転させるようにタッチパネルを操作することで、その回転や速度に応じた数値が入力できる。
【０００４】
また、スマートフォンなどにおいては、仮想ダイアルに数値を表示しておき、入力しようとする数値をわかりやすくしたものもある。
【先行技術文献】
【特許文献】
【０００５】
【特許文献１】特開２０００−２６７７７７
【発明の概要】
【発明が解決しようとする課題】
【０００６】
しかしながら、上記の特許文献１もスマートフォンにおける例のいずれも、ダイアルは入力のためだけのものであり、たとえば、入力のための入力欄とは別にダイアルがポップアップなどで表示されるようになっている。このため、たとえ、入力時だけであるとはいえ、画面の利用効率が良くなく、また、場合によってはダイアルによって入力欄が隠れてしまい、視認性が悪くなるという問題があった。
【０００７】
この発明は、上記のような問題点を解決して、画面の利用効率が良く、視認性にも優れた入力装置を提供することを目的とする。
【課題を解決するための手段】
【０００８】
この発明に係る入力装置の独立して適用可能ないくつかの特徴を以下に示す。
【０００９】
(1)(2)この発明に係る入力装置は、選択対象となる入力候補と、それ以外の入力候補とを区別可能にして、列状に複数表示する入力候補表示手段と、前記列状に複数表示された入力候補を移動させて、選択対象となる入力候補を変更する対象変更手段と、確定指令を受けて、選択対象以外の入力候補の表示を削除し、選択対象となっている入力候補をその位置で確定表示の状態とする確定表示手段とを備えている。
【００１０】
したがって、操作性がよく、画面の利用効率のよい入力装置を提供することができる。
【００１１】
(3)この発明に係る入力装置は、入力候補表示手段が、確定表示状態における確定表示が押下されたことを受けて、前記入力候補を複数表示して入力状態とすることを特徴としている。
【００１２】
したがって、入力を行いたい項目を容易に操作することができる。
【００１３】
(4)この発明に係る入力装置は、入力候補表示手段が、前記入力候補が有限個である場合、最後の入力候補に隣接して最初の入力候補を表示することを特徴としている。
【００１４】
したがって、入力操作の無駄を少なくすることができる。
【００１５】
(5)この発明に係る入力装置は、入力候補を表示するための複数の入力項目が並んで配置されており、前記確定表示手段は、入力項目から他の入力項目に操作指示ポイントが移動したことを受けて、前記移動前の入力項目における選択対象となる入力候補を確定表示状態とし、前記入力候補表示手段は、入力項目から他の入力項目に操作指示ポイントが移動したことを受けて、前記移動後の入力項目において、選択対象を複数表示する入力状態とすることを特徴としている。
【００１６】
したがって、連続的な入力を容易に行うことができる。
【００１７】
(6)(7)この発明に係る入力装置は、入力候補の近傍に周回図形を表示する周回図形表示手段と、前記周回図形の周回に沿った操作指示ポイントの移動を受けて、当該移動に応じて前記入力候補を順次変更する対象変更手段と、確定指令を受けて、前記入力候補をその位置で確定表示の状態とする確定表示手段とを備えている。
【００１８】
したがって、操作性がよく、画面の利用効率のよい入力装置を提供することができる。
【００１９】
(8)この発明に係る入力装置は、周回図形表示手段は、確定表示状態における確定表示が押下されたことを受けて、前記周回図形を表示して入力状態とすることを特徴としている。
【００２０】
したがって、入力を行いたい項目を容易に操作することができる。
【００２１】
(9)この発明に係る入力装置は、対象変更手段が、前記入力候補が有限個である場合、最後の入力候補の次に最初の入力候補を表示することを特徴としている。
【００２２】
したがって、入力操作の無駄を少なくすることができる。
【００２３】
(10)この発明に係る入力装置は、入力候補を表示するための複数の入力項目が並んで配置されており、対象変更手段は、前記周回に沿った操作指示ポイントの数に応じて、いずれの入力項目の入力候補を変更するかを決定することを特徴している。
【００２４】
したがって、連続的な入力を容易に行うことができる。
【００２５】
「入力候補表示手段」は、実施形態においては、ステップＳ２がこれに対応する。
【００２６】
「対象変更手段」は、実施形態においては、ステップＳ３、Ｓ１３がこれに対応する。
【００２７】
「確定表示手段」は、実施形態においては、ステップＳ５、Ｓ１５がこれに対応する。
【００２８】
「周回図形表示手段」は、実施形態においては、ステップＳ１２がこれに対応する。
【００２９】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３０】
【図１】この発明の一実施形態による入力装置の機能ブロック図である。
【図２】入力装置のハードウエア構成である。
【図３】入力プログラム４６のフローチャートである。
【図４】入力処理を示す図である。
【図５】入力インターフェイスの適用例である。
【図６】入力候補の循環表示例である。
【図７】他の実施形態による入力処理の例である。
【図８】第２の実施形態による入力装置の機能ブロック図である。
【図９】入力装置のハードウエア構成である。
【図１０】入力プログラム１４６のフローチャートである。
【図１１】入力処理を示す図である。
【図１２】他の入力処理を示す図である。
【図１３】他の入力処理を示す図である。
【発明を実施するための形態】
【００３１】
１．第１の実施形態
1.1全体構成
図１に、この発明の一実施形態による入力装置の機能ブロック図を示す。入力候補表示手段２は、入力候補８をホイールのように複数表示する。この時、選択対象となる入力候補１０と、それ以外の候補とを区別可能に表示する。
【００３２】
対称変更手段４は、マウスカーソル１２の操作に応じて、選択対象となる入力候補１０を含む入力候補８を変更する。たとえば、マウスカーソル１２を上方向や下方向に動かすことにより、ホイールが回転するようにして、入力候補８を変更する。
【００３３】
確定表示手段６は、確定指令（たとえばマウスのクリックボタンを離す・クリックするなど）を受けると、その時に選択対象となっていた入力候補１０を、その位置において確定表示１４の状態とする。
【００３４】
したがって、いずれの項目を入力しているのかが明確であり、しかも、表示画面の利用効率の良い入力装置を提供することができる。
【００３５】
1.2ハードウエア構成
図２に、入力装置のハードウエア構成を示す。ＣＰＵ３０には、メモリ３２、ディズプレイ３４、ハードディスク３６、ＤＶＤ−ＲＯＭドライブ３８、キーボード／マウス４０が接続されている。
【００３６】
ハードディスク３６には、オペレーティングシステム４４、入力プログラム４６が記録されている。入力プログラム４６は、オペレーティングシステム４４と協働してその機能を発揮するものである。これらプログラムは、ＤＶＤ−ＲＯＭ４２に記録されていたものを、ＤＶＤ−ＲＯＭドライブ３８を介して、ハードディスク３６にインストールしたものである。なお、インターネットを介してダウンロードしたものであってもよい。
【００３７】
1.3入力処理
図３に、入力プログラム４６のフローチャートを示す。図４に、ディスプレイ３４に表示された入力の状況を示す。
【００３８】
図４Ａに、既に入力され確定された確定表示の状態を示す。この例では、２０１４年７月３０日を意味する「２０１４−０７−３０」が表示されている。この実施形態では、「２０１４」「０７」「３０」のそれぞれが、入力できる項目となっている。
【００３９】
この状態において、変更したい項目上においてマウスクリックを行うことで、入力を行うことができる。たとえば、ユーザがマウス４０を操作し、確定表示「０７」にマウスカーソル１２をあわせてマウスボタンをクリックすると、ＣＰＵ３０は、図４Ｂに示すような入力状態の表示を行う（ステップＳ１、Ｓ２）。つまり、入力候補が示されたホイール５２を確定表示「０７」のあった位置を含めて、その上下に表示する。この例では、「０５」「０６」「０７」「０８」「０９」の入力候補が示されたホイール５２が表示されている。なお、入力候補は、各項目ごとに予めハードディスク３６に記録されている。
【００４０】
ユーザが、マウスボタンをクリックしたままマウス４０を移動させて、カーソル１２を下方向５４に移動させると、ＣＰＵ３０は、図４Ｃに示すように、ホイール５２が下方向に回転したように表示を変化させる（ステップＳ３）。なお、カーソル１２が上方向に移動された場合には、ＣＰＵ３０は、ホイール５２を上方向に回転させる。
【００４１】
図４Ｃの状態において、ユーザがマウスボタンを離すと、その時の選択対象の入力候補「０５」が入力対象として確定される（ステップＳ４）。なお、選択対象の入力候補は、確定表示にある入力項目「２０１４」「３０」と同じ水平位置にある入力候補として区別可能であるように表示されている。さらに、この実施形態では、ＣＰＵ３０は、選択対象の入力候補に枠５６を表示して区別しやすいようにしている。
【００４２】
次に、ＣＰＵ３０は、選択対象の入力候補「０５」を、その位置で確定表示状態にするとともに、ホイール５２の表示を止める（ステップＳ５）。
【００４３】
上記のようにして、入力を行うことができる。なお、他の項目「２０１４」「３０」についても、同様にして入力を行うことができる。
【００４４】
このような入力インターフェイスを、地図上に種々の情報（人口、雨量など）を表示するシステムに適用した例を、図５に示す。図５Ａが従来の表示例である。地図上に表示されているのが何時の時点の情報であるかを示す日時表示６０が設けられている。下方には、この日時表示６０を変更するための入力欄６２が設けられている。日時表示６０と入力欄６２が別であるため、画面の利用効率がよくない。
【００４５】
これに対し、上記実施形態による入力インターフェイスを採用した場合には、図５Ｂに示すように、確定表示の位置にホイールが現れて入力を行うことができる。したがって、入力が行いやすく、さらに、画面の利用効率がよい。
【００４６】
1.4その他
(1)図６に示すように、ホイール５２の表示を循環的なものとしてもよい。たとえば、図６Ａでは、年を示すホイール５２は、「２０１９」の次に「１９９０」となっている。つまり、入力可能として設定している年を「１９９０」〜「２０１９」としている場合に、その上限「２０１９」まで表示すれば次に下限である「１９９０」を表示するようにしている。
【００４７】
図６Ｂは月を示すホイール５２、図６Ｃは日を示すホイール５２における循環的な表示例である。
【００４８】
(2)上記実施形態では、マウス４０によるクリックにて確定表示状態から入力状態に変えるようにしている。しかし、マウスカーソル１２を確定表示状態の項目上にあわせることで、入力状態に変えるようにしてもよい。あるいは、入力状態に変えるためのボタンを別途設けて、これをクリックするようにしてもよい。
【００４９】
(3)上記実施形態では、マウス４０のボタン押下を止めることが確定指令となって、入力状態から確定表示状態に変えるようにしている。しかし、マウスカーソル１２が項目から所定以上離れたことによってこれを行うようにしてもよい。あるいは、確定表示状態に変えるためのボタンを別途設けて、これをクリックするようにしてもよい。
【００５０】
(4)上記実施形態では、数値を入力するようにしている。しかし、アルファベットなどの文字、記号、血液型、年齢、氏名、都道府県などを入力するようにしてもよい。
【００５１】
(5)上記実施形態では、マウス４０によって操作を行う場合について説明した。しかし、タッチスクリーンにおいて、指などによって操作を行う場合にも同様に適用することができる。
【００５２】
(6)上記実施形態では、選択対象となる入力候補と、それ以外の入力候補とを、位置（選択対象となる入力候補は、他の項目の確定表示と同じ高さに表示する）によって区別できるようにし、さらに、選択対象となる入力候補を枠で囲うことによって区別できるようにしている。しかし、いずれか一方のみを採用するようにしてもよい。また、色を変える、大きさを変えるなど表示形態を変えることによって、区別をするようにしてもよい。
【００５３】
さらに、選択対象となる入力候補だけでなく、前回の確定入力を他と区別できるように表示してもよい。
【００５４】
(7)上記実施形態では、各入力項目をそれぞれクリックして確定表示状態から入力状態に変えて入力を行うようにしている。しかし、このような入力方法に代えて、あるいは加えて、連続的に入力が行えるようにしてもよい。
【００５５】
図７に、このような連続入力の例を示す。図７Ａに示すように、マウス４０によるクリックにて、項目を入力状態に変更する点は、図４と同じである。また、図７Ｂに示すように、マウスカーソル１２を上下に動かしてホイール５２を上下に回転させる点も、図４と同じである。
【００５６】
この実施形態では、マウスボタンをクリックしたまま、図７Ｃに示すように、マウスカーソル１２を別の項目（項目の上下を含む領域）に移動させると、ＣＰＵ３０は、月のためのホイール５２を消して、月の項目を確定表示状態とする。さらに、ＣＰＵ３０は、移動した日の項目について、日のためのホイール５２を表示し、入力状態とする。ここで、マウスカーソル１２を上下に移動させることで、ホイール５２を回転させることができる。
【００５７】
ＣＰＵ３０は、マウスボタンのクリックが止められたことを検知して（あるいは、マウスカーソル１２が日の項目エリアから離れたことを検知して）、日の項目を確定表示状態にする。
【００５８】
以上のようにして、連続的な入力を実現するようにしてもよい。
【００５９】
(8)上記実施形態では、スタンドアローンのＰＣに適用した場合について説明した。しかし、スマートフォン、タブレット型コンピュータなどにおいても適用することができる。さらに、入力プログラムをサーバ装置に置き、端末装置からの入力情報を受けて、端末装置に表示を行うような場合にも適用することができる。
【００６０】
(9)上記の各変形例は、その本質に反しない限り、以下の実施形態においても適用可能である。
【００６１】
２．第２の実施形態
2.1全体構成
図８に、第２の実施形態による入力装置の機能ブロック図を示す。周回図形表示手段１０２は、入力対象項目１１４の近傍に周回図形１１０を表示する。この実施形態では、年、月、日全体が入力対象項目となっている。
【００６２】
対称変更手段４は、指１１２などによる操作指示ポイントの、周回図形１１０に沿った動きを検出し、入力対象項目の入力候補を変化させる。
【００６３】
指１１２が離されると、確定表示手段１０６は、その時の入力候補を、その位置で確定表示１１６の状態とする。
【００６４】
したがって、いずれの項目を入力しているのかが明確であり、しかも、表示画面の利用効率の良い入力装置を提供することができる。また、入力状態において周回図形を表示するだけであるから、入力のための表示によって他の表示が隠れるのを小さくすることができる。
【００６５】
2.2ハードウエア構成
図９に、入力装置のハードウエア構成を示す。この実施形態では、スマートフォンによって入力装置を構成している。ＣＰＵ１３０には、メモリ１３２、タッチパネル（タッチ入力可能なディスプレイ）１３４、不揮発性メモリ１３６、通信回路１３８が接続されている。
【００６６】
不揮発性メモリ１３６には、オペレーティングシステム１４４、入力プログラム１４６が記録されている。入力プログラム１４６は、オペレーティングシステム１４４と協働してその機能を発揮するものである。これらプログラムは、通信回路１３８、インターネットを介してダウンロードしたものである。あるいは、記録媒体に記録されていたものをインストールしたものであってもよい。
【００６７】
2.3入力処理
図１０に、入力プログラム１４６のフローチャートを示す。図１１に、タッチパネル１３４の表示を示す。
【００６８】
図１１Ａに示すように、確定表示状態の日付１１６、１１８が表示されている。この状態において、指１１２によって確定表示状態の日付１１６がタッチされたとする。ＣＰＵ１３０は、これを検知して（ステップＳ１１）、日付１１６の周辺に入力補助リング１１０を表示する（ステップＳ１２）。この入力補助リング１１０の内部は、入力状態であることを明示するために薄いグレーで着色されているものの、透過率の高い色としている。したがって、入力状態となっていない他の日付１１８が隠れないので、他の日付を確認しながら入力を行うことができる。
【００６９】
この状態で、ユーザが指１１２を動かすと、ＣＰＵ３０は、入力補助リング１１０に沿った動きの成分を抽出する。時計回りの移動成分であれば、候補日付１２２を増加させ、反時計回りの移動成分であれば、候補日付１２２を減少させる（ステップＳ１３）。したがって、ユーザは、入力補助リング１１０に沿うように指１１２によるタッチ点を移動させることで、候補日付１２２の入力候補を増減させることができる。なお、入力候補は、各項目ごとに予め不揮発性メモリ１３６に記録されている。
【００７０】
所望の入力候補が表示された時点で、ユーザが指１１２を離すと、ＣＰＵ３０は、その時の候補日付１２２をその位置で確定表示状態の日付１１６とする（ステップＳ１４、Ｓ１５）。
【００７１】
このような入力インターフェイスは、入力を必要とする種々のプログラムに適用可能である。たとえば、スケジュール管理ソフトウエアの日付入力などに用いることができる。
【００７２】
2.4その他
(1)上記実施形態では、入力項目の値を全体として増減させるようにしている。しかし、図１２に示すように、年、月、日のそれぞれに分けて入力を行うようにしてもよい。図１２では、年、月のみが示されているが、日についても同様である。
【００７３】
(2)上記実施形態では、入力項目の値を全体として増減させるようにしている。しかし、図１３に示すように、タッチする指１１２の本数によって、年、月、日の各項目を入力対称とするようにしてもよい。ＣＰＵ１３０は、同時にタッチされている指１１２の本数を計数し、１本の場合には日１５０を入力対象の項目とする（図１３Ａ）。２本の場合には、月１５２を入力対称の項目とする（図１３Ｂ）。さらに、３本の場合には、年１５４を入力対象の項目とする（図１３Ｃ）。なお、４本以上の場合についても適用可能である。
【００７４】
(3)上記実施形態では、年、月、日の入力について説明したが、その他の数値や、アルファベットなどの文字、記号、血液型、年齢、氏名、都道府県などを入力するようにしてもよい。
【００７５】
(4)上記実施形態では、指１１２によるタッチにて入力を行っているが、スタイラスペン、マウスなどによって入力するようにしてもよい。
【００７６】
(5)上記実施形態では、周回図形としてリング１１０を用いている。しかし、三角形、六角形などの多角形、楕円など、周回的に表現されるものであればどのようなものを用いてもよい。また、完全に閉じた周回図形ではなく、一部が欠けている周回図形であってもよい。
【００７７】
(6)上記実施形態では、入力補助リング１１０の大きさは一定としている。しかし、ユーザの指１１２の操作によって入力補助リング１１０の大きさを変更できるようにしてもよい。さらに、指１１２を同じ速度で移動させた場合であっても、入力補助リング１１０の大きさに応じて入力候補の変化速度が変わるようにしてもよい。
【００７８】
(7)入力候補の表示は、第１の実施形態と同じように，循環的に表示するようにしてもよい。
【００７９】
(8)上記実施形態では、指１１２によるタッチにて確定表示状態から入力状態に変えるようにしている。しかし、タップ（タッチしてすぐに離す）することによってこれを行うようにしてもよい。あるいは、入力状態に変えるためのボタンを別途設けて、これをタッチするようにしてもよい。
【００８０】
(9)上記実施形態では、指１１２を離すことが確定指令となって入力状態から確定表示状態に変えるようにしている。しかし、指１１２が入力項目から所定以上離れたことによってこれを行うようにしてもよい。あるいは、確定表示状態に変えるためのボタンを別途設けて、これをタッチするようにしてもよい。
【００８１】
(10)上記実施形態では、スマートフォンに入力プログラムを置いて動作させる場合について説明した。しかし、ＰＣやタブレットコンピュータに入力プログラムを置いて動作させるようにしてもよい。さらに、入力プログラムをサーバ装置に置き、端末装置からの入力情報を受けて、端末装置に表示を行うような場合にも適用することができる。
【００８２】
(11)上記の各変形例は、その本質に反しない限り、第１の実施形態においても適用可能である。
【図２】
2016085510.tif 000003
【図３】
2016085510.tif 000004
【図６】
2016085510.tif 000005
【図９】
2016085510.tif 000006
【図１０】
2016085510.tif 000007
【図１】
2016085510.tif 000008
【図４】
2016085510.tif 000009
【図５】
2016085510.tif 000010
【図７】
2016085510.tif 000011
【図８】
2016085510.tif 000012
【図１１】
2016085510.tif 000013
【図１２】
2016085510.tif 000014
【図１３】
2016085510.tif 000015